(57)【特許請求の範囲】
【請求項１】
入力された血圧値の２次元的表示を基本とした血圧判定、評価の表示図をディスプレイ上に瞬時にして描出するコンピュータ表示システムにおいて、横軸に収縮期血圧値、縦軸に拡張期血圧値を目盛り、入力された同血圧値をそのグラフ上に直角に交差する直線上の交差点を中心とする小円として表現する「血圧表示図」を表示し、上記「血圧表示図」において、各軸に平行な直線を引いて血圧判定指導区分領域を設け、上記血圧判定指導区分領域を赤、ピンク、黄、緑、水、青色等の判定信号色を用いて色分けすることでその血圧が、高血圧要医療３、同要指導２−ａ、同要指導２−ｂ、標準領域、低血圧領域いずれの領域に属しているかを視覚的に示し、なおかつ、矩形に仕切られた上記血圧判定指導区分領域の角どうしを点線で結んで「均衡折れ線」と呼ぶ折れ線を配し、そして又、縦横目盛りのスケールをその区域によって変化させることで判定領域が均衡のとれた面積として表示される様にしたコンピュータ表示システム。
【請求項２】
請求項１記載のコンピュータ表示システムにおいて、血圧表示図上に複数の測定値に対応した各小円を表示する際に、小円と、その小円内部にその中心を通る半径分直線を各小円毎に、その角度が３６０の約数以外の整数に設定した角度で少しづつ一定にずらした線分として書き込むようにした上で入力の順に従って各小円が順次点滅を繰り返すようにしたコンピュータ表示システム。
【発明の詳細な説明】
【発明の詳細な説明】
【０００１】
【産業上の利用分野】
本発明は、コンピュータによる、医療におけるいわゆる健康管理支援システムの一種であると共に、一般の人にも理解し安く、本人によって、血圧に対する評価、判定を行うことを可能のしたコンピュータ表示システムである。
【０００２】健康診査等での健康管理支援システムを含め血圧の説明、健康指導に関連する視覚的のコンピュータ表示システムは、血圧値自体を棒グラフや折れ線グラフ等で簡単に表示するものにとどまっていた。血圧についてのこうした従来からのいわば線型的表示に対して、血圧値について収縮期並びに拡張期血圧をそれぞれ横軸、縦軸にとって生まれる収縮期一拡張期血圧平面の上に入力血圧値をプロットするといういわば血圧の２次元的表示を基本とし、しかも判定領域を判定に対応した判定信号色によって色分けした上、縦横軸のスケールを判定区域によって変化させることで判定領域の面積に均衡をもたせて見安くする為の工夫を加えるということで入力血圧の医学的判定・評価の意味を視覚的に容易に捉えることを可能にした表示図を出力するコンピュータ表示システムというのは存在しなかった。また、従来の線型的表示では、血圧の循環器学的特徴を読みとるにはイメージをもって理解しにくかった。
【０００３】従来の技術でのコンピュータ表示システムによる場合、血圧についての医学的評価、判定は、それを用いて指導をなす側、される側、何れの当事者にとっても、出力された判定が、どの様な位置付けにあるものかを実感をもって認識することができなかった。即ち、両者にとって、血圧値の位置付けを頭の中で自らがイメージして理解しなければならず、どの様な位置付けにあるものかを実感をもって認識することが困難であった。また、単に線型的表示では、その血圧の循環器学的特徴を捉える上で理解しにくかった。
【発明が解決しようとする課題】
【０００４】  特に、健康管理指導を受ける側の一般人においては、その結果の的確な理解が得にくく、その重要度を充分に自覚することが希薄なものになりがちで、なおかつ無味乾燥なものであった。しかも、その判定、評価の結果は医療をなす者の側からのサービスによって一方的に提供されるものであり、原則として、被検者自身のみにては入手できないものであった。
【０００５】本発明は、従来のこの種のコンピュータ表示システムの有するこのような問題点に鑑みてなされたものであり、その目的とするところは、血圧値についての医療的判定、評価に関して指導をなす者、される者双方において、その結果が、どの様な位置付けにあるものかを実感をもって理解することを可能とし、特に指導を受ける側の者にとって、その結果についての的確な理解と重要度に対する充分な自覚を効果的に与え、より実感に富んだコンピュータ表示を提供することができる。具体的にどこの位置に当たるかについて、判定基準から設定される判定領域に基づいて表示することで、これを見る者の理解を助けようとするものである。
【０００６】
【課題を解決するための手段】
上記目的を達成するために、本発明におけるコンピュータ表示システムを稼動するソフトウェアを完成した。表示画面は２画面を有し、カラー表示図となっていて、各画面ともプリンターを用いてプリントアウトのできる機能を持たせてある。
【０００７】
【作用】
【０００８】  人が、手書きによって同様の表示図を現すには、相当の手間と時間を要するが、当ソフトウェアの実現によってコンピュータディスプレイでの画面の描出は瞬時になされ、プリントアウト図は短時間にて得ることが可能となった。
【０００９】  請求項１〜２記載の血圧表示図には、全血圧系表示と低血圧系表示の２種類を設けている。前者では、収縮期血圧値が、９０、１４０、１６０及び１８０に、また拡張期血圧値が、９０、９５及び１００に境界線を引いて領域区分をなし、そして後者では、収縮期血圧値が、５０、７０及び９０に区切りを設け、そしてその７０以上、９０未満領域でのみ拡張期血圧値５０に境界線を引いて領域区分を設けてある（これらの判定区分は、ＷＨＯや日本循環器管理研究協議会及び各種循環器病診断学書における判定基準を参考にして設定されている。）。なお、前者、後者とも便宜上、拡張期血圧が収縮期血圧を上回る関係になってしまう表示図上での領域は、非存領域としてカットして区別している。また、全血圧系表示では、収縮期血圧値が１４０以上、拡張期血圧値が９０以上にて、目盛りのスケールが、それぞれ、３倍及び５倍長となって、区分領域に充分な広さと均衡が与えられる配慮をしている。入力血圧値が低血圧に属す場合、最初に全血圧系での表示がなされた上で、低血圧領域を詳しく見るという構成で低血圧系表示がなされる。
【００１０】  請求項１〜２記載のコンピュータ表示システムでは、判定領域における２次元的位置付けとして血圧が瞬時に表示されるので、同血圧が循環器学的にどの様な特徴を有し評価がなされるかをイメージをもって理解することができる。例えば、甲状腺機能亢進症と言う疾病では拡張期血圧の高血圧化が収縮期血圧のそれより相対的に高いという特徴を有する。従って、当コンピュータ表示システムでは、収縮期血圧の程度によらず一般の血圧よりもそのプロット点が、同請求項記載の「均衡折れ線」よりも遠ざかり、非存領域との境界線により近接した位置付けに生じるという傾向を有す。この様に立ち所にしてその入力血圧の特徴が捉えられるという診断学的価値を高めるコンピュータ表示システムとすることができる。
【００１１】  請求項２記載の「複数血圧プロット図」に於いては、各プロット小円毎に書き込まれた半径分直線が、新たな小円をプロットする度に傾きを一定にづらして描かれるので、全く収縮、拡張期圧とも同一の血圧が、複数個あった場合でも、そのプロット点に何個同一値の入力血圧が重なっているかが解る。なお、このづらしの角度数が３６０の約数としないので（通常３３°に設定している）、１回転して元の角度近辺に戻ってきても重なることはなく区別される様に工夫されている。又、各小円が、その入力の順に従って、点滅するので、入力血圧の経過や経時的な変化を画面上で捉えることができる。
【００１２】
【実施例】  実施例について図面を参照にして説明する。なお、特許出願図面の様式上、図面はカラー表示図のではなくモノクロの方のプリントアウト機能を用いてプリントアウトしたものを用いてある。【００１３】図８及び図９は、請求項１記載の「血圧表示図」（図８のは「全血圧系表示」、図９のは「低血圧系表示」と、さらに区別して呼ぶ。）で、図８では、収縮期血圧（図中ではこれと同意の「最高血圧」の呼称を用いている。）が１８６ｍｍＨｇ、拡張期血圧（図中ではこれと同意の「最低血圧」の呼称を用いている。）が９２ｍｍＨｇ、そして図９では、それぞれを８６ｍｍＨｇ、４６ｍｍＨｇとした入力例におけるアウトプットを示したものである。それぞれ、横軸目盛り値が、１８６及び８６、縦軸目盛り値が、９２及び４６の位置に、縦軸、横軸に平行な直線Ｉ１、Ｉ２が引かれ、それらの交差点Ｊとして、各々の血圧を表現していることが解る。そして、前者ではその交差点が領域区分のうちの「要医療３」の領域に、後者では「低血圧▲２▼（図では「低−▲２▼」と略して表記してある。）」の領域に属していることが理解できる。しかも、前者の特徴として表示されたプロット点が、「均衡折れ線」よりは、比較的に遠ざかり収縮期血圧軸である横軸方向に近い位置付けとなっていることが読める。これによって同血圧は、収縮期血圧の方が拡張期血圧よりも上昇の度合いが大きいとの特徴をもっていることが見てとれる。ちなみに、本例は、動脈硬化型高血圧症に生じるタイプで当システムは高血圧診断の上でも役立つことを示す一入力例である。【００１４】図１５は、請求項２記載の、「複数血圧プロット図」の実施例である。血圧値を表す小円が「要医療３」の判定区分領域に、複数個描かれている。この場合、一見５例の血圧値をプロットした５つの小円が表示されている。各々の小円に半径相当の直線が、各々傾きを異にして一本づつ書き込まれているが、小円Ｐに限っては、２本の直線ｉ及びｊが書き込まれている。従って、この血圧値が２度プロットされたこと、即ち、同一の血圧値が一組あったことが理解できる。しかも、各々の小円の書き込み直線を角度の順に追ってゆくことで血圧プロットの順番を知ることが可能であり、その様にして見てみると、これら同一値の血圧は、３番目と５番目にプロットされたものであることがわかり、経時的な血圧の変化を知るのに有用となる。【００１５】
【発明の効果】
本発明は、上述のとおり構成されているので、次に記載する効果を奏する。
【００１６】  請求項１記載のコンピュータ表示システムにおいては、収縮期血圧と拡張期血圧とを各々単独に理解するのではなくて、同血圧値をそれぞれ横軸及び縦軸の座標とする直線の交差点として表現することで、両者を合わせた一つのものとして捕らえることができるため、血圧というもの、を視覚的に一つにまとめた体系として理解することができる。
【００１７】  請求項１記載のコンピュータシステムにおいては、交差点として表現された血圧が、どういう区分領域に属しているかを、視覚的に直接に捕らえることができ、しかも、縦横両軸の目盛りのスケールを調整することで、区分領域の面積的均衡も崩さないという工夫がなされているために、視安く理解し安い表示となっている。さらにまた、収縮期、拡張期血圧均衡線が表示され、これに対する血圧プロット点（小円）の位置関係により、収縮期、拡張期血圧の均衡の具合いを知ることができる。即ち、この線より上方に遠ざかれば遠ざかる程、つまり収縮期血圧軸である横軸に近づけば近づく程、収縮期血圧の上昇の度合が高く、逆に均衡線より下方に遠ざかり、拡張期血圧軸である縦軸に近づけば近づく程、拡張期血圧の上昇の度合が高いこと、そして、均衡線に接近する程、収縮期、拡張期血圧の上昇のバランスがとれていることを理解することができて循環器病診断上の診断学的価値を高めるものである。
【００１８】  請求項２記載のコンピュータシステムにおいては、入力された複数の血圧群が、判定区分領域に対してどの様な位置付けで分布しているのか、さらにまた、それらの入力順との位置関係を理解することができる。例えば、入力順が、一症例の測定血圧群の時間的順位であるならば、その症例の血圧が、時系列的に血圧表示図上で、どの様な位置付けに分布したかを理解することができる。
【図面の簡単な説明】
【図１】  「身長−体重表示図」である。
【図２】  「度数分布表示図」である。
【図３】  「人型表示図」である（性別男性、年齢４１才、身長１６３．７ｃｍ、体重７３．１ｋｇの入力例）。
【図４】  「人型表示図」である（性別女性、年齢２２才、身長１５２．０ｃｍ、体重４２．３ｋｇの入力例）。
【図５】  「体重計表示図」である。
【図６】  「体重経過表示図」である。
【図７】  「体脂肪表記図」である。
【図８】  「血圧表示図」である（収縮期血圧値１８６ｍｍＨｇ、拡張期血圧値９２ｍｍＨｇの入力例で、全血圧系表示の方）。
【図９】  「血圧表示図」である（収縮期血圧値８６ｍｍＨｇ、拡張期血圧値４６ｍｍＨｇの入力例で、低血圧系表示の方）。
【図１０】  「血圧経過図」である（折れ線グラフ形式のもの）。
【図１１】  「血圧経過図」である（棒グラフ形式のもの）。
【図１２】  「血圧表示図」におけるスケールアウト表示例の図である。
【図１３】  いわゆる、電子式の自動身長体重（体脂肪）測定機と当ソフトウェアにて作動するコンピュータ機器とが回路的に接続された図である。
【図１４】  「判定領域区分表示図」である。
【図１５】  「複数血圧プロット図」である。
【符号の説明】
ａ  垂直の直線
ｂ  小円
Ｃ  中心線
（ａ）  標準体重中央線
（ｂ）  痩せぎみ境界線
（ｃ）  肥りぎみ境界線
（ｄ）  痩せすぎ境界線
（ｅ）  肥りすぎ境界線
Ａ、Ａ１、Ａ２  「自分体」、「標準体」、「限界体」の各人型
Ａ１’、Ａ２’  点線表示の楕円
Ｂ１、Ｂ２  矢印
ｃ  “ＢＷ”を付した垂直線
ｃ１  小ウィンドウ
ｃ２  小正規曲線の中央垂線
ｃ３  小正規曲線の入力体重対応垂線
ｃ４  小正規曲線下でｃ２、ｃ３の囲む領域
Ｄ  『自分体』という文字
Ｅ  身長計
Ｆ、Ｆ１、Ｆ２、Ｆ３  体重計
Ｇ１、Ｇ２、Ｇ３、Ｇ４、Ｇ５  痩せすぎ、痩せぎみ、正常範囲、肥りぎみ、肥りすぎの各領域
Ｈ、ＨＳ、ＨＢ  体脂肪を表す曲線
ＨＭ  「体脂肪メータ」
ＨＪ  体脂肪率の判定領域区分を記した物差し
ＨＰ  入力体脂肪率を示した棒
Ｉ１、Ｉ２  縦軸、横軸に平行な直線
Ｊ  交差点
Ｋ  「スケールアウト」表示
Ｌ  電子式身長体重（体脂肪）測定機
Ｍ  回路（ケーブル）
Ｎ  コンピュータ機器
Ｏ  マーク「ＢＷ」
Ｐ  小円
ｉ、ｊ  小円内直線
（Ａ）  収縮期血圧要指導２−ａ境界直線
（Ｂ）  収縮期血圧要指導２−ｂ境界直線
（Ｃ）  収縮期血圧要医療３境界直線
（Ａ’）  拡張期血圧要指導２−ａ境界直線
（Ｂ’）  拡張期血圧要指導２−ｂ境界直線
（Ｃ’）  拡張期血圧要医療３境界直線
【図１】
0003656642.tif 000002
【図２】
0003656642.tif 000003
【図３】
0003656642.tif 000004
【図４】
0003656642.tif 000005
【図５】
0003656642.tif 000006
【図６】
0003656642.tif 000007
【図７】
0003656642.tif 000008
【図８】
0003656642.tif 000009
【図９】
0003656642.tif 000010
【図１０】
0003656642.tif 000011
【図１１】
0003656642.tif 000012
【図１２】
0003656642.tif 000013
【図１３】
0003656642.tif 000014
【図１４】
0003656642.tif 000015
【図１５】
0003656642.tif 000016